(57)【要約】【課題】比較的簡単は制御系により、融通性が高い補正制御を実現する。【解決手段】コントローラ部１２の最大操作量Ｒｍａｘを半径とした操作円８０は、図３（ａ）に示す設定では補正領域７１により４等分され、図３（ｂ）では補正領域７２により８等分され、図３（ｃ）では、２種類の補正領域７３、７４により分割されている。各補正領域内でのコントローラ部１２の操作方向は補正方向６１、６２、６１’に補正される。図３（ｄ）に示す非補正範囲円８１内ではコントローラ部１２の操作方向の補正はなされない。図３（ｅ）では、補正領域および補正方向が、半径ｒを境界に切り替わる。各補正領域の設定は、切替合成部３５により、互いに切り替え、合成が可能である。【選択図】  図３
2005018357.tif 000002
【特許請求の範囲】
【請求項１】
操作部の操作方向および操作量に応じた制御信号を生成し、前記制御信号に応じて画面上のポインタを移動させるポインティングデバイスのポインティングデバイス制御システムであって、
前記操作部の動作を検知する検知手段と、
前記検知手段で検知された前記操作部の操作方向を所定の方向に補正して出力する補正領域の設定に用いられるパラメータを格納するパラメータ格納手段と、
前記補正領域を記憶保持する記憶手段と、
選択された前記パラメータにより前記補正領域を設定し、前記操作部の操作方向を補正する補正方向を設定する補正機能設定手段と、
設定された前記補正領域内での前記操作部の操作方向を、前記補正方向に補正する補正制御部と、
設定されて使用されている補正領域を、前記記憶手段に記憶保持されている他の補正領域に変更する変更手段とを有するポインティングデバイス制御システム。
【請求項２】
前記補正制御部による補正をＯＮ／ＯＦＦする手段を有する請求項１に記載のポインティングデバイス制御システム。
【請求項３】
前記記憶手段に記憶保持されている一の補正領域と、前記記憶手段に記憶保持されている他の補正領域とを合成する合成手段を有する請求項１または２に記載のポインティングデバイス制御システム。
【請求項４】
前記補正機能設定手段が、前記パラメータに基づき、前記操作部の操作方向を所定の補正方向に補正せずに出力する非補正領域を設定する請求項１から３のいずれか１項に記載のポインティングデバイス制御システム。
【請求項５】
前記合成手段が、前記記憶手段に記憶保持されている一の補正領域と、前記非補正領域とを合成する請求項４に記載のポインティングデバイス制御システム。
【請求項６】
操作部の操作方向および操作量に応じた信号を生成するポインティングデバイスを有する電子機器であって、
請求項１〜５のいずれか１項に記載のポインティングデバイス制御システムと、
前記補正制御部より出力された信号に応じてポインタとして表示する表示手段とを有する電子機器。
【発明の詳細な説明】
【０００１】
【発明の属する技術分野】
本発明は、操作方向及び操作量に応じた制御信号を生成するアナログ型のポインティングデバイス及びこれを備えた電子機器に関し、特に操作方向に応じてその操作方向をある任意の決まった方向に補正することにより表示画面上の制御対象を直線的に移動させることのできる電子機器に関する。
【０００２】
【従来の技術】
従来、携帯電話や携帯型端末（以下、ＰＤＡ）、ノートブック型のパーソナルコンピュータ（以下、ノートＰＣ）、ゲーム機器などで用いられている、任意方向への操作力に応じて制御信号を生成し、表示画面上の制御対象を移動させるなどの操作を行う機能を有する入力装置として、マウス、トラックボール、ジョイスティックなどのアナログ型のポインティングデバイスが広く用いられている。
【０００３】
従来のポインティングデバイスでは、ある基準点からの相対的な操作位置を２次元座標もしくは操作方向α、操作量βの極座標を用いて、制御されるのが一般的である。
【０００４】
図６は、基準点Ｏを中心とし、この基準点Ｏからの操作方向と操作量で制御を行うジョイスティックタイプのポインティングデバイスでの操作方向、操作量等の関係を示した説明図である。ここで基準点Ｏの座標を（０，０）、操作位置をＡ（ｘ，ｙ）とすると、その操作方向αは、ｘ，ｙの比と、ｘ，ｙがそれぞれ正の数、負の数、ゼロのいづれかであるかの組合せにより決まる。ただし、ｘ，ｙ共にゼロである場合を除く。
【０００５】
操作方向をラジアンα（−π≦α≦π）とすると以下のように一意に決定することができる。
（ｘ＝０，  ｙ＞０のとき）：α＝π／２
（ｘ＝０，  ｙ＜０のとき）：α＝−π／２
（ｘ＞０，  ｙ＝０のとき）：α＝０
（ｘ＞０，  ｙ＝０以外のとき）：α＝ｔａｎ−１（ｙ／ｘ）
（ｘ＜０，  ｙ＝０のとき）：α＝π
（ｘ＜０，  ｙ＞０のとき）：α＝π＋ｔａｎ−１（ｙ／ｘ）
（ｘ＜０，  ｙ＜０のとき）：α＝−π＋ｔａｎ−１（ｙ／ｘ）
またこの時の操作量βは、
β＝（ｘ２  ＋  ｙ２）０．５
と表すことができる。また、この計算には三角関数の演算があるため、処理速度アップのために変換テーブルなどを用いる場合もある。
【０００６】
従来のポインティングデバイスでは、このように基準点Ｏからの相対的な操作位置（ｘ，ｙ）もしくは操作方向α、操作量βのようなパラメータを用いて制御されるのが一般的であり、さらにここで得られた操作量βの大きさにより、その操作対象の移動速度を変化させる。その操作量βと移動速度の関係の例を図７に示す。操作量βに応じて、直線的に速度を増加させる例（図７（ａ））、速度増加の傾きが複数有るもの（図７（ｂ）、（ｃ）、（ｄ））、非線型の関係にあるもの（図７（ｅ）、（ｆ））、一定のもの（図７（ｇ））などである。
【０００７】
これらのアナログ型のポインティングデバイスでは、その利用形態として表示画面上の小さなものを選択する、絵や文字を描くなど、微妙な操作が要求されることが多いため、移動方向に関する解像度は比較的高いことが多い。しかし、解像度が高いということは少しの方向のズレがそのまま移動方向に現れてしまうことになり、目的の位置に移動するのに、微妙にずれてしまったり、ふらついてしまったりして、操作者の操作感としては満足できる状態でないことが多々ある。またこの傾向はこのようなポインティングデバイスに大きな実装面積を取ることができず、ポインティングデバイス自体に小型化が要求され、十分な操作感を得ることが難しい携帯電話や小型のＰＤＡなどでは、特に顕著である。
【０００８】
そこで、このようなずれを補正するポインティングデバイスが開示されている（例えば、特許文献１参照）。
【０００９】
特許文献１では、２個のセンサによって、ポインティングデバイスのＡＲＣＴＡＮ値を算出し、その値が０、４５、９０、１３５、１８０、２２５、２７０となるような近い値のセンサの出力を補正することで、雑に操作しても特定方向の変位としてデータが得られるようにしている。
【００１０】
このような補正方法は比較的簡単な制御系により補正を実現することが可能であるが、ポインティングデバイスを操作する操作者には操作者特有の癖があるため、補正方法が１つのみでは、操作者がこの補正方法に対してあわすよりほかなく、融通性が低いといった問題を生じる場合がある。
【００１１】
そこで、基準方向からのずれを個人データとして記憶させ、操作者特有の癖を補正するポインティング入力装置が開示されている（例えば特許文献２参照）。
【００１２】
【特許文献１】
特開平５−２６５６４９号公報
【特許文献２】
特開平１０−１５４０３８号公報
【００１３】
【発明が解決しようとする課題】
しかしながら、個人データを記憶して補正する補正制御の場合、制御系が複雑になってしまう場合がある。
【００１４】
そこで、本発明は、細かな操作をする時の操作感を損なわずに、ある程度長距離の移動時などに操作対象の直線的な移動を可能とし、さらには、比較的簡単は制御系により、融通性の高い補正制御が可能なポインティングデバイス及びこれを備えた電子機器を提供することを目的とする。
【００１５】
【課題を解決するための手段】
上記目的を達成するため本発明のポインティングデバイス制御システムは、操作部の操作方向および操作量に応じた制御信号を生成し、前記制御信号に応じて画面上のポインタを移動させるポインティングデバイスのポインティングデバイス制御システムであって、前記操作部の動作を検知する検知手段と、前記検知手段で検知された前記操作部の操作方向を所定の方向に補正して出力する補正領域の設定に用いられるパラメータを格納するパラメータ格納手段と、前記補正領域を記憶保持する記憶手段と、選択された前記パラメータにより前記補正領域を設定し、前記操作部の操作方向を補正する補正方向を設定する補正機能設定手段と、設定された前記補正領域内での前記操作部の操作方向を、前記補正方向に補正する補正制御部と、設定されて使用されている補正領域を、前記記憶手段に記憶保持されている他の補正領域に変更する変更手段とを有する。
【００１６】
上記構成の本発明のポインティングデバイス制御システムは、パラメータ格納手段に格納されたパラメータに基づき、補正機能設定手段により、操作部の操作方向を補正する補正領域の設定および補正方向を設定し、補正制御部により微妙なずれや、ふらつきの補正がなされる。さらに本発明のポインティングデバイス制御システムの場合、設定された補正領域が記憶手段に記憶保持されており、この記憶手段に記憶保持されている補正領域と、今現在設定され、使用されている補正領域とを変更手段によって変更することができるため、容易に補正領域の設定を変更することができる。
【００１７】
また、本発明のポインティングデバイス制御システムは、補正制御部による補正をＯＮ／ＯＦＦする手段を有するものであってもよいし、記憶手段に記憶保持されている一の補正領域と、記憶手段に記憶保持されている他の補正領域とを合成する合成手段を有するものであってもよい。また、本発明のポインティングデバイス制御システムは、補正機能設定手段が、パラメータに基づき、操作部の操作方向を所定の補正方向に補正せずに出力する非補正領域を設定するものであってもよく、さらに、合成手段が、記憶手段に記憶保持されている一の補正領域と、非補正領域とを合成するものであってもよい。この場合、本発明のポインティングデバイス制御システムは、補正領域の変更に加え、さらに、補正制御のＯＮ／ＯＦＦ、非補正領域の設定、補正領域および非補正領域の合成といったきめ細かな設定を必要に応じて行うことができることとなる。
【００１８】
本発明の電子機器は、操作部の操作方向および操作量に応じた信号を生成するポインティングデバイスを有する電子機器であって、本発明のポインティングデバイス制御システムと、前記補正制御部より出力された信号に応じてポインタとして表示する。
【００１９】
【発明の実施の形態】
次に、本発明の実施の形態について図面を参照して説明する。
【００２０】
図１に本実施形態のポインティングデバイス制御システムを備えた電子機器の模式的なブロック構成図を、図２に本実施形態のポインティングデバイス制御システムにより設定された補正領域の一例、コントローラ部の操作方向、補正された操作方向を模式的に示す。また、図３（ａ）〜（ｅ）に、本実施形態のポインティングデバイス制御システムにより設定された補正領域の設定例を示す。
【００２１】
電子機器１は、ポインティングデバイス１１、記憶部２０、および補正部３０を有するポインティングデバイス制御システム２と、液晶画面等からなる表示部５０とを有する。
【００２２】
ポインティングデバイス１１は、操作者によって操作されるコントローラ部１２と、コントローラ部１２の動作を検知する検知部１３とを有し、検知部１３は、ポインティングデバイスの操作方向を検知する操作方向検知部１３ａと、ポインティングデバイスの操作量を検知する操作量検知部１３ｂと、ポインティングデバイスの操作速度を検知する操作速度検知部１３ｃと、ポインティングデバイスの操作加速度を検知する操作加速度検知部１３ｄとを有する。
【００２３】
後述する補正機能設定部３３で設定された補正領域を記憶保持する記憶部２０は、さらに、補正領域を変更するパラメータを格納しておくパラメータ格納部２１を有する。
【００２４】
パラメータ格納部２１には、コントローラ部１２の操作方向の補正がなされる領域を設定するためのパラメータが格納されている。このパラメータとしては、補正領域中心角θ、補正領域半径Ｒ、補正領域分割数ｎ、非補正範囲円の半径ｒ、補正開始操作速度ｖ、補正開始操作加速度ａ’が格納されているが、格納されているパラメータはこれらに限定されるものではない。各パラメータは、予めパラメータ格納部２１に格納されているものであってもよいし、あるいは、不図示の入力手段により入力されるものであってもよい。
【００２５】
補正部３０は、パラメータを設定するパラメータ設定部３１と、パラメータ格納部３１ａに格納されているパラメータを選択するパラメータ選択部３２と、パラメータ選択部３２で選択されたパラメータに基づいて補正領域を設定し、コントローラ部１２の操作方向を補正する補正方向を設定する補正機能設定部３３と、現在使用している補正領域を、記憶部２０に記憶保持されている複数の補正領域から選択して変更する、あるいは合成する変更合成部３４と、コントローラ部１２の操作方向の補正を行う補正制御部３５とを有する。
【００２６】
補正機能設定部３３は、パラメータ選択部３２によって、パラメータ格納部３１ａに格納されているパラメータのうち、例えば、補正領域中心角θおよび補正領域半径Ｒを選択された場合、図２に示すような補正領域中心角θで補正領域半径Ｒの扇形形状の補正領域７０を設定し、実線矢印で示される補正方向６０を設定する。
【００２７】
変更合成部３４は、現在使用している補正領域を、記憶部２０に記憶保持されている複数の補正領域から選択して変更する機能と、複数の補正領域を合成する機能と、必要に応じて補正制御部３５による方向補正機能をＯＮ／ＯＦＦする機能とを有する。例えば、現在、図３（ａ）に示すような補正領域が設定されており、記憶部２０に図３（ｂ）に示す補正領域が記憶保持されている場合、変更合成部３４によって、図３（ａ）に示す補正領域を図３（ｂ）の補正領域に変更して設定する、あるいは、図３（ａ）の補正領域と図３（ｂ）の補正領域とを合成して図３（ｅ）に示す補正領域とすることができる。また、図３（ｂ）の補正領域に非補正領域を合成して図３（ｄ）に示すような補正領域を設定することもできる。なお、図３（ａ）〜（ｅ）に示す各補正領域の詳細については後述する。
【００２８】
補正制御部３５は、操作方向検知部１３ａ、操作量検知部１３ｂ、操作速度検知部１３ｃ、および操作加速度検知部１３ｄで検知されたコントローラ部１２の動作に基づく、操作方向、操作量、操作速度、および操作加速度が入力されると、補正機能設定部３３によって設定された補正領域内での動作かどうかを判断し、補正領域内であれば、コントローラ部１２の操作方向を予め設定しておいた補正方向へと補正した信号を出力する。
【００２９】
次に、本実施形態のポインティングデバイス制御システムによる基本的な補正制御について、図２を用いて説明する。
【００３０】
図２の補正領域７０は、以下のようにして設定されている。
【００３１】
まず、パラメータ選択部３２によって、パラメータ格納部３１ａの補正領域中心角θおよび補正領域半径Ｒが選択される。
【００３２】
次に、補正機能設定部３３によって、パラメータ選択部３２によって選択された補正領域中心角θおよび補正領域半径Ｒに基づき、基準点Ｏを中心とした、補正領域中心角θ、補正領域半径Ｒの扇形形状の補正領域７０が設定される。
【００３３】
コントローラ部１２が操作されると、検知部１３の操作方向検知部１３ａ、操作量検知部１３ｂ、操作速度検知部１３ｃ、および操作加速度検知部１３ｄによってコントローラ部１２の動作が検知される。
【００３４】
検知部１３からの操作方向、操作量、操作速度、および操作加速度に関する信号は補正制御部３５に入力される。補正制御部３５は、これらの信号が入力されると、コントローラ部１２の動作が補正機能設定部３３によって設定された補正領域内での動作かどうかを判定し、補正領域内での動作であれば、コントローラ部１２の操作方向を予め設定しておいた補正方向６０へと補正した信号を出力し、補正領域外での動作であるならば補正は行わない。
【００３５】
すなわち、補正領域７０内でポインティングデバイス１１のコントローラ部１２が破線で示す操作方向５０、５０’等に向けて操作されると、その方向は補正制御部３５によってすべて実線矢印で示す補正方向６０に補正される。なお、補正されるのは操作方向５０、５０’の方向α５０、α５０’が補正方向６０の方向α６０へと補正されるだけであり、操作量β、β’に関して補正は行われない。
【００３６】
このようにして、補正方向６０に補正されたコントローラ部１２の動作は、補正された方向に向けて移動するポインタとして表示部５０に表示される。
【００３７】
次に、本実施形態のポインティングデバイス制御システムによる補正領域の設定例について、図３（ａ）〜（ｅ）を用いて説明する。なお、各図は、補正領域を明確に図示するため、斜線によるハッチングを施して隣接する補正領域同士を区別している。また、基準点Ｏを中心点とする操作円８０は、コントローラ部１２の最大操作量Ｒｍａｘを半径としたものである。
【００３８】
図３（ａ）〜（ｃ）に示す各補正領域は、補正領域中心角θおよび補正領域半径Ｒをパラメータとして設定されている。
【００３９】
図３（ａ）に示す操作円８０は、補正領域中心角θ＝９０°、補正領域半径Ｒ＝Ｒｍａｘとする補正領域７１により４等分されている。また、補正方向６１は補正領域中心角θを二等分する方向に設定されている。このような設定により、補正領域７１におけるコントローラ部１２の操作方向は、互いに直交する補正方向６１で示される４方向へと補正される。例えば、補正領域７１ａ内でのコントローラ部１２の操作方向は補正方向６１ａに、補正領域７１ｂ内でのコントローラ部１２の操作方向は補正方向６１ｂに補正される。
【００４０】
図３（ｂ）に示す操作円８０は、補正領域中心角θ＝４５°、補正領域半径Ｒ＝Ｒｍａｘとする補正領域７２により８等分されており、補正方向７１は補正領域中心角θを二等分する方向に設定されている。このような設定により、補正領域７２におけるコントローラ部１２の操作方向は、補正方向７２で示される８方向へと補正される。
【００４１】
なお、図３（ａ）、（ｂ）のように操作円８０を等分する、補正領域半径Ｒ＝Ｒｍａｘの補正領域は、補正領域中心角θをパラメータとせずに、操作円８０を分割する補正領域分割数ｎによって設定してもよい。
【００４２】
図３（ｃ）に示す操作円８０は、補正領域半径Ｒ＝Ｒｍａｘ、補正領域中心角θ、θ’とする２種類の補正領域７３、７４により分割されている。このように、本実施形態のポインティングデバイス制御システムは、等分割以外の補正領域設定も可能である。
【００４３】
図３（ｄ）に示す操作円８０における補正領域７５は、図３（ｂ）に示した補正領域の設定で選択したパラメータ、補正領域半径Ｒ＝Ｒｍａｘ、補正領域中心角θに加え、補正を行わない領域である非補正範囲円の半径ｒを選択し、変更合成部３４によって合成されることで設定されている。これにより、格子状のハッチングが施された非補正範囲円８１内ではコントローラ部１２の操作方向の補正はなされず、ポインティングデバイスが元々有している解像度で各方向への操作が可能であり、非補正範囲円８１外の８等分された補正領域７５内のみ、補正方向６３への補正がなされる。
【００４４】
非補正範囲円８１の半径ｒは、コントローラ部１２の操作速度ｖ、加速度ａにより規定されるものであってもよい。ここで、図４（ａ）および図４（ｂ）にコントローラ部１２の操作量と操作速度との関係のグラフを示す。
【００４５】
図４（ａ）に示すように、操作量と移動速度の関係としては一般的には操作量が大きくなると操作対象の速度は速くなっていくような制御となっているものが多い。ここで操作量ゼロ（基準点Ｏ）から操作量最大（Ｒｍａｘ）の間に、方向補正切替量をパラメータとして持つことにより、操作量がこの方向補正切替量未満であれば方向補正無し、方向補正切替量以上であれば方向補正有りとする制御を行うことが可能となる。これにより細かな操作が必要な領域では方向補正無しで微細操作が可能であり、比較的速度が速く遠くへ操作対象を移動させるような場合には直線性の良い操作が可能となるような制御を行うことができる。
【００４６】
すなわち、非補正範囲円８１の半径ｒを方向補正切替量とすることで、非補正範囲円８１内では微細操作が可能であり、非補正範囲円８１外で、比較的速度が速く、基準点Ｏから遠くへ操作対象を移動させるような場合に直線性の良い操作が可能となる。
【００４７】
また、コントローラ部１２の操作量と移動速度の関係は図４（ａ）に示す関係にあるため、補正開始操作速度ｖを方向補正切替量とし、補正開始操作速度ｖ以下では方向補正を行わないように制御するものであってもよい。
【００４８】
あるいは、コントローラ部１２の操作量と移動速度の関係が図４（ｂ）に示すように直線的でない場合、すなわち、コントローラ部１２の移動時の加速度がａからａ’に変化する場合には、補正開始操作加速度ａ’を方向補正切替量とし、補正開始操作加速度ａ’以下では方向補正を行わないように制御するものであってもよい。
【００４９】
次に、図３（ｄ）に示すように、補正領域７５と非補正範囲円８１とを有する操作円８０内でのポインティングデバイスの補正制御について、図５に示すフローチャートを用いて説明する。
【００５０】
まず、ポインティングデバイス１１のコントローラ部１２が操作されているか（Ｓ７０２）の判定を行う。一般的には操作されていることを示す割り込み信号などが用いられる。また操作部であるコントローラ部１２の機構的な遊びを許容するために多少動かしても反応しないような領域が設けられている場合も多い。ここでポインティングデバイスのコントローラ部１２が操作されていると認識された場合には、その時の基準位置からの操作量が計算される（Ｓ７０３）。その後、計算された操作量が、方向補正切替量である非補正範囲円８１の半径ｒ以上であるかの判定（Ｓ７０４）が行われ、操作量が方向補正切替量以上であれば方向補正を行い（Ｓ７０５）、未満であれば方向補正を行わない（Ｓ７０６）という制御が実行され、また最初に戻るという流れになっている。この繰り返しはある任意の一定間隔で行われるのが通常である。
【００５１】
また、図３（ｄ）では、図３（ｂ）に示した補正領域７２に非補正範囲円８１を合成した例が示されているが、これに限定されるものではなく、例えば、図３（ａ）の補正領域７１や、図３（ｃ）の補正領域７３、７４と非補正範囲円８１を合成するものであってもよい。さらに、図３（ｄ）では、半径ｒを境界として補正の有無が切り替わる補正制御がなされる設定例について示しているが、図３（ｅ）に示すように、この半径ｒを境界として４方向の補正方向６４から８方向の補正方向６５に２段階に切り替わるような設定がなされてもよい。このような補正方向数の切替は、４方向から８方向に限定されるものではなく、必要に応じて補正方向数が増減するものであってもよいし、３段階以上の切替とするものであってもよい。
【００５２】
なお、本実施形態の説明において、基準点Ｏからの操作量、操作方向を用いて制御するポインティングデバイスではその操作範囲が円形である、もしくは円形と見なせる場合が多いので、ここでは移動範囲を操作円とし、１つの方向補正範囲を扇形として説明したがその形状はこれに限るものではない。またここでは２次元平面で考えているが、球形等の３次元で同様の方向補正を行うといった実施例も考えられる。また、補正方向の数は操作対象、操作に要求される方向数、操作感などにより適切に選ばれる。
【００５３】
以上、基準点からの操作方向と操作量を用いて制御するジョイスティックタイプの制御方法を例として説明を行ってきたが、マウスのように特定の基準点をもたないタイプのポインティングデバイスにおいても、通常モードと方向補正モードをハードウェアまたはソフトウェアにより切り替え直線性を向上させる、または移動速度がある任意の一定以上の速度のときにのみ方向補正を行うなどの制御を行うことにより、本発明を適用することが可能である。
【００５４】
なお、本発明が上記各実施例に限定されず、本発明の技術思想の範囲内において、各実施例は適宜変更され得ることは明らかである。
【００５５】
【発明の効果】
以上説明したように本発明によれば、パラメータを選択して設定された補正領域内での操作部の微妙なずれ等が補正制御部により補正方向に補正されるため、ふらつきが少なく直線的な操作が可能となる。さらに本発明によれば、変更手段により容易に補正領域の設定を変更することができる融通性の高さを兼ね備えているため、操作者が無理に補正方法にあわせる必要がなく、好適な補正を選択することができる。
【図面の簡単な説明】
【図１】本発明の一実施形態であるポインティングデバイス制御システムを備えた電子機器の模式的なブロック構成図である。
【図２】補正領域中心角θ、補正領域半径Ｒの扇形形状の補正領域内における、コントローラ部の操作方向と補正方向との関係を模式的に示した図である。
【図３】本発明のポインティングデバイス制御システムにより設定可能な補正領域を例示した図である。
【図４】コントローラ部の操作量と操作速度との関係を示すグラフである。
【図５】非補正範囲円が設定された場合のポインティングデバイスの補正制御のフローチャートである。
【図６】従来の、中心である基準点Ｏからの操作方向と操作量で制御を行うジョイスティックタイプのポインティングデバイスでの操作方向、操作量の関係を示した説明図である。
【図７】従来のポインティングデバイスにおける操作量と操作速度との関係を示すグラフである。
【符号の説明】
１    電子機器
２    ポインティングデバイス制御システム
１１    ポインティングデバイス
１２    コントローラ部
１３    検知部
１３ａ    操作方向検知部
１３ｂ    操作量検知部
１３ｃ    操作速度検知部
１３ｄ    操作加速度検知部
２０    記憶部
２１    パラメータ格納部
３０    補正部
３１    パラメータ設定部
３１ａ    パラメータ格納部
３２    パラメータ選択部
３３    補正機能設定部
３４    切替合成部
３５    補正制御部
５０    操作方向
５０    表示部
６０、６１、６１ａ、６１ｂ、６２、６３、６４、６５    補正方向
７０、７１、７１ａ、７１ｂ、７２、７３、７４、７５    補正領域
８０    操作円
８１    非補正範囲円
【図１】
2005018357.tif 000003
【図２】
2005018357.tif 000004
【図３】
2005018357.tif 000005
【図４】
2005018357.tif 000006
【図５】
2005018357.tif 000007
【図６】
2005018357.tif 000008
【図７】
2005018357.tif 000009